(57)【要約】【課題】単一のＴＶチューナーにより動画を含む複数のＴＶ情報を同時に表示することを可能とするＴＶチューナー内蔵移動携帯端末の受信表示方法又はＴＶチューナー内蔵移動携帯端末を提供する。【解決手段】ＴＶ信号の受信において、制御部１０はＴＶチューナー３の受信周波数の切り換え制御を行うことにより、動画表示のメインチャンネルで１秒間に受信するフィールド（フレーム）のうち、１又は数フィールド（フレーム）だけサブチャンネルを受信し、メインチャンネルとサブチャンネルの映像信号をＬＣＤ等の表示部に並列表示する。サブチャンネルの画像はＯＣＲ等の画像認識により文字情報として表示する。サブチャンネルの受信用のＴＶチューナーを新たに設ける必要がなく、消費電流が小さく、搭載領域も少なくて済み、小型化、薄型化が可能である。【選択図】        図１
2006094235.tif 000002
【特許請求の範囲】
【請求項１】
ＴＶチューナー内蔵移動携帯端末の受信表示方法であって、
単一のＴＶチューナーによりメインチャンネルの映像信号を受信するとともに、所定期間に受信周波数を切り換えることによりサブチャンネルの映像信号を受信し、前記メインチャンネル及びサブチャンネルで受信した各映像信号を表示部にそれぞれ並列表示することを特徴とする受信表示方法。
【請求項２】
前記所定期間は、連続する複数の画像の期間であることを特徴とする請求項１記載の受信表示方法。
【請求項３】
サブチャンネルで受信した映像信号は、複数の画像のうち１画像のみ表示部に表示することを特徴とする請求項２記載の受信表示方法。
【請求項４】
サブチャンネルで受信した映像信号は、当該映像信号から抽出した文字情報として表示することを特徴とする請求項１乃至３の何れかに記載の受信表示方法。
【請求項５】
受信周波数を複数のサブチャンネルの周波数に順次切り換えることにより、複数のサブチャンネルの映像信号を受信することを特徴とする請求項１乃至４の何れかに記載の受信表示方法。
【請求項６】
サブチャンネルの受信期間は、音声の出力を遮断することを特徴とする請求項１乃至５の何れかに記載の受信表示方法。
【請求項７】
前記画像は受信フィールド又はフレームであることを特徴とする請求項２乃至６の何れかに記載の受信表示方法。
【請求項８】
異なるチャンネルの映像信号を並列に表示可能なＴＶチューナー内蔵移動携帯端末であって、
受信周波数を切り換え可能な単一のＴＶチューナーと、前記ＴＶチューナーの出力から映像信号を復調受信する映像復調部と、メインチャネルの映像信号から特定期間を検出し、当該特定期間に前記ＴＶチューナーの受信周波数を切り換えサブチャンネルの映像信号を受信し、前記メインチャンネル及びサブチャンネルで受信した各映像信号を表示部に表示する制御部と、を備えることを特徴とするＴＶチューナー内蔵移動携帯端末。
【請求項９】
前記所定期間は、連続する複数の画像の期間であることを特徴とする請求項８記載のＴＶチューナー内蔵移動携帯端末。
【請求項１０】
サブチャンネルで受信した映像信号は、複数の画像のうち１画像のみ表示部に表示することを特徴とする請求項９記載のＴＶチューナー内蔵移動携帯端末。
【請求項１１】
サブチャンネルで受信した映像信号は、当該映像信号から抽出した文字情報として表示することを特徴とする請求項８乃至１０の何れかに記載のＴＶチューナー内蔵移動携帯端末。
【請求項１２】
受信周波数を複数のサブチャンネルの周波数に順次切り換えることにより、複数のサブチャンネルの映像信号を受信することを特徴とする請求項８乃至１１の何れかに記載のＴＶチューナー内蔵移動携帯端末。
【請求項１３】
サブチャンネルの受信期間は、音声復調部からの音声の出力を遮断することを特徴とする請求項８乃至１２の何れかに記載のＴＶチューナー内蔵移動携帯端末。
【請求項１４】
前記画像は受信フィールド又はフレームであることを特徴とする請求項９乃至１３の何れかに記載のＴＶチューナー内蔵移動携帯端末。
【発明の詳細な説明】
【技術分野】
【０００１】
本発明は移動携帯端末におけるＴＶ受信表示に関し、特にＴＶチューナーを内蔵する移動携帯電話機等、ＴＶチューナー内蔵移動携帯端末の受信表示方法及び端末に関する。
【背景技術】
【０００２】
近年、移動携帯端末においては、小型化、薄型化、そして多機能化が進んでおり、数百万画素の撮影性能を持つカメラや、ＴＶチューナーを搭載する端末まで登場している。
【０００３】
このような多機能化に伴い、移動携帯端末の電流消費量は大幅に増加しており、特にＴＶチューナーを搭載する移動携帯端末の消費電流は格段に大きく、ＴＶの視聴可能な時間は１時間程度と限られることから、この少ないＴＶ視聴時間を有効に利用できるように、複数のチャンネルからのＴＶ情報を同時に得ることができれば視聴上の利便性が高まる。
【０００４】
ところで、テレビジョン放送の受信において、表示画面を複数の領域に分割して、動画とコマ落ち画像とを並列表示したり、複数の駒落ち画像のみを並列表示すること自体は知られている（特許文献１、２参照）。
【０００５】
しかしながら、このような従来技術では動画表示用のＴＶチューナーとコマ落ち画像用のＴＶチューナー等、複数のＴＶチューナーを使用するものであり、前述のように小型化、薄型化及び消費電流の抑制等を不可欠とする移動携帯端末においては、これらを充足するとともに動画及び駒落ち画像を受信できるテレビ映像表示を実現することは困難であった。
【０００６】
【特許文献１】特開平２−９７１８１号公報
【特許文献２】特開平１０−２６２１９４号公報
【発明の開示】
【発明が解決しようとする課題】
【０００７】
本発明の主な目的は、ある期間、受信周波数をかえてＴＶ受信を行うことで、ＴＶチューナーを新たに追加することなく複数のチャンネル情報を得ることを可能としたＴＶチューナー内蔵移動携帯端末の受信表示方法又はＴＶチューナー内蔵移動携帯端末を提供することにある。
【０００８】
本発明の他の目的は、消費電流を増加することなく、動画を含む複数のＴＶ情報を同時に表示することを可能とするＴＶチューナー内蔵移動携帯端末の受信表示方法又はＴＶチューナー内蔵移動携帯端末を提供することにある。
【０００９】
本発明の他の目的は、単一のＴＶチューナーにより動画を含む複数のＴＶ情報を同時に表示することを可能とするＴＶチューナー内蔵移動携帯端末の受信表示方法又はＴＶチューナー内蔵移動携帯端末を提供することにある。
【００１０】
本発明の他の目的は、消費電流を増加することなく、文字情報等を含む複数のＴＶ情報を同時に表示し、表示画面を有効利用できるＴＶチューナー内蔵移動携帯端末の受信表示方法又はＴＶチューナー内蔵移動携帯端末を提供することにある。
【課題を解決するための手段】
【００１１】
本発明は、ＴＶチューナー内蔵移動携帯端末おいて、１つのＴＶチューナーを用いて、メインチャンネルとサブチャンネルの複数チャンネルの映像情報を得ることを特徴とする。
【００１２】
通常、ＴＶの映像は１秒間に約６０枚の画像を描画しており、その１枚を１フィールド（フレーム）とすると、本発明では動画表示のメインチャンネルで１秒間に受信するフィールド（フレーム）のうち、１又は数フィールド（フレーム）だけサブチャンネルを受信することで、メインチャンネルとサブチャンネルのデータを得るものである。尚、アナログ放送に限らずディジタル放送においても同様である。
【００１３】
本発明のＴＶチューナー内蔵移動携帯端末の受信表示方法は、ＴＶチューナー内蔵移動携帯端末の受信表示方法であって、単一のＴＶチューナーによりメインチャンネルの映像信号を受信するとともに、所定期間に受信周波数を切り換えることによりサブチャンネルの映像信号を受信し、前記メインチャンネル及びサブチャンネルで受信した各映像信号を表示部にそれぞれ並列表示することを特徴とする。
【００１４】
本発明のＴＶチューナー内蔵移動携帯端末は、異なるチャンネルの映像信号を並列に表示可能なＴＶチューナー内蔵移動携帯端末であって、受信周波数を切り換え可能な単一のＴＶチューナーと、前記ＴＶチューナーの出力から映像信号を復調受信する映像復調部と、メインチャネルの映像信号から特定期間を検出し、当該特定期間に前記ＴＶチューナーの受信周波数を切り換えサブチャンネルの映像信号を受信し、前記メインチャンネル及びサブチャンネルで受信した各映像信号を表示部に表示する制御部と、を備えることを特徴とする。
【００１５】
また、前記所定期間は、連続する複数の画像（受信フィールド又はフレーム）の期間であることを特徴とし、サブチャンネルで受信した映像信号は、複数の画像のうち１画像のみ表示部に表示することを特徴とする。
【００１６】
サブチャンネルで受信した映像信号は、当該映像信号から抽出した文字情報として表示することを特徴とし、更に、受信周波数を複数のサブチャンネルの周波数に順次切り換えることにより、複数のサブチャンネルの映像信号を受信することを特徴とし、サブチャンネルの受信期間は、音声の出力を遮断することを特徴とする。
【発明の効果】
【００１７】
以上のように本発明によれば、所定の１又は数フィールド（フレーム）の間、受信周波数をかえてＴＶ信号の受信を行うことで、１つのＴＶチューナーで複数のチャンネルの情報を表示することが可能であり、ＴＶチューナーを２つ以上使用する場合等に比べ、消費電流が小さく、搭載領域も少なくて済み、小型化、薄型化が可能である。
【００１８】
また、サブチャンネルの映像信号を画像認識により文字情報等として表示することにより小さいＬＣＤ表示画面の有効利用が可能である。
【００１９】
更に、ＬＣＤ等の消費電流を抑制する表示で適用される動画の間引き表示によれば、当該間引き期間を含む表示フレーム（例えばフレーム（５））においてサブチャンネルを受信することにより、サブチャンネルの画像の取得及び表示フレームの作成が容易となり、また、画像処理部も単一構成として簡略化することが可能である。
【発明を実施するための最良の形態】
【００２０】
（構成の説明）
図１は本発明のＴＶチューナー内蔵移動携帯端末の一実施の形態の構成を示す図である。
【００２１】
１はＴＶ信号及びその他の無線通信信号を受信するアンテナ、２はＴＶ信号と無線通信信号を分離する為のデュプレクサ、３はＴＶ信号を受信する単一のＴＶチューナー、４は受信したＴＶ信号から音声データを検波する音声検波部、５は映像データを検波する映像検波部、６は音声信号を復調する音声デコーダ部、７は映像信号を復調する映像デコーダ部、８は映像および音声信号を記憶するメモリ等を含む記憶部、９はデータ入力及び端末操作に加え、本発明の複数画面等の表示形態の選択等を行う操作部、１０は無線部及びＴＶチューナー３等の各種制御を行い複数画面の表示のための画像処理及び音声の選択等の制御を行う制御部、１１は復調した音声信号を出力するスピーカー、１２は復調した映像信号を表示する表示部（液晶表示デバイス、以下、ＬＣＤともいう。）、１３はＴＶ受信以外で使用する無線部、等で構成される。
【００２２】
次に、本実施の形態の動作の概要を以下説明する。
（動作の概要）
図２はＴＶ受信、表示動作の例を示す図である。ＴＶ映像データはＮＴＳＣ放送の映像信号としてフィールド単位で画像データが受信され、ＬＣＤ等におけるテレビ映像表示では該映像信号をプログレッシブ化（ノンインターレース化、ＩＰ変換）して表示するため、１秒間に６０枚の画像が表示される。この表示画像１枚を１フレーム（表示フレーム）とすると、１フレームの表示時間は６０分の１秒≒１６．７ｍｓｅｃ（６０フレーム／秒）となる。
【００２３】
ところで携帯移動端末においては、全てのフレームを表示すると、消費電流が増加し、データ処理速度が高速化する等の問題があるので、消費電流の抑制、データ処理速度の適正化等を考慮し、映像出力のデータを間引く制御が行われる。本実施の形態では取得する画像を間引いて１／４のフレームだけとし、当該フレームを１フレーム期間のみ表示する動作（１５フレーム／秒）を行うが、このような動作でも移動携帯端末等では画面が小さいため十分に動画として視聴可能である。以下、１５フレーム／秒の表示動作の実施の形態を例として以下説明する。
【００２４】
本実施の形態の動作は、図２に示すように、６０フレーム／秒として取得可能な表示データを４フレームごとのデータに区切り、この４フレームの内、最初の１フレームの画像をその期間のみＬＣＤに表示し、残る３フレーム分のデータは廃棄する（表示に利用しない）方法を採用する。この場合、画像は１秒間に１５枚（フレーム１〜フレーム１５）が表示される。以下、取得する映像データは１５フレーム／秒分のみを使用するが、この画像１５枚について廃棄するフレームを含めて便宜的にフレーム（１）〜フレーム（１５）（間引フレーム）として表記する。尚、表示に利用する映像データは電流消費の要請に応じて間引きを１／２とし同様の原理により３０フレーム／秒としても実現可能である。
【００２５】
図３は本実施の形態のＴＶ受信時の表示フレームの切り換え動作例を示す図である。図３にはＬＣＤに表示し視聴する第１の受信周波数１のメイン（ｍａｉｎ）チャネル（図３（ａ）、「視聴チャンネル」という。）と、同一ＬＣＤ上に表示する第２の受信周波数２のサブ（ｓｕｂ）チャネル（図３（ｂ）、「非視聴チャンネル」という。）の表示フレームと、音声出力（図３（ｃ））との関係を示す。
【００２６】
図３では各チャンネルのフレームは同期するものとし、視聴チャンネルの表示対象のフレーム番号に対応し、非視聴チャンネルのフレーム番号にも同一番号を付して示している。ここで視聴チャンネルは特定の指定した表示フレームを除く１４の表示フレームであり、非視聴チャンネルは視聴チャンネルで除いたフレームの時間におけるフレームのみを表示するようにＴＶチューナー３の受信周波数を切り換える制御が行われる。
【００２７】
具体的にはフレーム５を指定したフレームとし、視聴チャンネルとしてはフレーム１〜４、６〜１５を表示し、非視聴チャンネルとしてはフレーム５のみを表示する。なお、視聴チャンネルのフレーム５は、直前のフレーム４を表示するように制御することにより動画としてのちらつきや違和感を抑制することが可能である。
【００２８】
ＴＶ信号の受信周波数を視聴チャンネル（受信周波数１）から非視聴チャンネル（受信周波数２）に高速で切り換える動作は、図１に示す構成において、制御部１０がＴＶチューナー３の受信周波数の設定を高速に切り換えることで実現する。
【００２９】
ＴＶチューナー３は毎秒６０フィールド（３０フレーム）の映像信号を受信し、映像検波器５及び映像デコーダ部７は映像復調部として映像信号を復調する。その間に映像信号の１４フレーム分の視聴チャンネルのデータと、１フレーム分の視聴チャンネルのデータとでなる表示フレーム１〜１５を取得するため、ＴＶチューナー３はそれぞれ４フィールドでなる１５期間（図３のフレーム（１）〜（１５））の内１４期間は視聴チャンネルのデータを受信し、１期間（図３のフレーム（５））だけ非視聴チャンネルのデータを受信するように制御部１０により受信周波数が制御される。
【００３０】
制御部１０は単一のＴＶチューナー３の受信周波数の前述の切換制御に加え、視聴チャンネルの映像信号を表示部１２のＬＣＤのメイン領域に表示し、また、非視聴チャンネルの映像信号は毎秒１枚の間隔でＬＣＤに直接表示させるか、または、ＯＣＲ処理等の画像認識技術により映像信号又はその画像から数字や文字コードを抽出した後、ＬＣＤに表示する制御を行う。また、音声復調部としての音声検波部４及び音声デコーダ６の出力を図３（ｃ）に示すように制御し、視聴チャンネルのフレーム１〜４、６〜１５で出力するが、非視聴チャンネル（フレーム５）では出力しないように制御する。
【００３１】
図４は本実施の形態のＬＣＤの表示例を示す図である。ＬＣＤ表示例１は、視聴チャンネルの映像信号をＬＣＤの動画表示用の大きな領域であるＬＣＤメイン（ｍａｉｎ）映像表示部（メイン映像表示部）へ表示し、受信周波数２へ切り換えて取得した１フレーム分の非視聴チャンネルの映像信号は前記ＬＣＤメイン映像表示部の下部等の小さな領域であるＬＣＤサブ（ｓｕｂ）映像表示部（サブ映像表示部）へ表示した例である。また、ＬＣＤ表示例２は、非視聴チャンネルの画像等から取得した数字や文字データを前記ＬＣＤ表示例１のサブ映像表示部へ表示した例である。
【００３２】
次に、より具体的な構成及び動作を本発明の実施例により詳細に説明する。  
【実施例１】
【００３３】
図５は本発明のＴＶチューナー内蔵移動携帯端末の実施例１を示す図である。制御部１０の機能を具体的な機能ブロックにより示している。
【００３４】
制御部１０には、受信復調した音声のオン／オフ制御を行う音声切換部１０ａを備える。また、受信復調した映像信号の垂直同期信号等を検出する同期検出部１０ｄ、同期検出部１０ｄの出力に基づき映像信号のフィールド又はフレームに同期しフィールドタイミング（フィールドの先頭等）でタイミングパルスを出力するパルス発生部１０ｅ、前記タイミングパルスを計数し各種タイミング信号発生用の計数値を出力するカウンタ部１０ｆを備える。
【００３５】
また、カウンタ部１０ｇの計数値をデコードし、特定のフレーム（図３のフレーム（５））の期間を検出する特定フレーム検出部１０ｇ、当該特定フレームの期間、非視聴チャンネルを受信するようにＴＶチューナー３の受信周波数を切り換える受信周波数切換部１０ｉを備える。
【００３６】
また、特定フレーム検出部１０ｇの出力により視聴チャンネル及び非視聴チャンネルを判別し、チャンネル別の画像処理を行うための制御信号を出力するチャンネル別処理切換部１０ｈを備える。
【００３７】
更に、映像デコーダ部７からの映像信号、カウンタ部１０ｆの計数値及びチャンネル別処理切換部１０ｈからの制御信号を入力し、視聴チャンネル及び非視聴チャンネルの表示データを生成し、図４に示す表示画像データは必要により記憶部８に格納するとともに、記憶部８の前記表示画像データを読み出し出力する画像処理部１０ｂ、画像処理部１０ｂからの出力を階調データとして表示部１２のＬＣＤに出力する階調データ出力部１０ｃを備える。
【００３８】
特に、画像処理部１０ｂは、前記計数値をデコードすることにより、表示上のフレーム（図２（ｂ）のフレーム１〜１５）の生成等に必要なフレーム周期（受信データのフィールド周期）、表示画像データの間引き処理等に必要な前記フレーム周期の４倍の周期（期間）、及び非視聴チャネルへの切換等に必要なフレーム周期の４×１５倍の周期等の各タイミング信号を生成するとともに、チャンネル別切換部１０ｈの出力を入力し、復調信号のフィールド期間の映像データをプログレッシブ化等により表示用の１フレームとして生成した後、３フィールド分の映像データを廃棄することにより、表示画像を１／４に間引き、視聴チャンネルの表示画面のメイン映像表示部の表示データ（図２（ｂ）のフレーム１〜４、６〜５）とし、視聴チャンネルの表示フレームのフレーム（５）の期間（図３（ｂ））内に非視聴チャンネルの映像信号の１フィールドを抽出し同様に表示用のフレーム（フレーム５）を生成して非視聴チャンネルの表示画面のサブ映像表示部の表示データとする画像処理を行う機能、視聴チャンネル及び非視聴チャンネルの各表示データを必要によりそれぞれの表示画面に対応するそれぞれのメモリ領域に保存する機能、前記メモリ領域の表示データを読み出して階調データ出力部１０ｃに出力する機能等を有する。
【００３９】
なお、各チャンネルの映像信号が同期していることを前提としたが、非同期の場合には、非視聴チャンネルの映像信号の１フィールドの抽出は、表示フレームのフレーム（５）の期間（図３（ｂ））が映像信号の４フィールド期間に相当する時間６７ｍｓｅｃ（図２（ｂ））の間に垂直同期信号等を検出して同期をとることにより実施可能である。
【実施例２】
【００４０】
図６は本発明のＴＶチューナー内蔵移動携帯端末の他の実施例２を示す図である。本実施例２はサブ映像表示部への表示を例えばＯＣＲ読み取り等により画像からコードデータ等を抽出し、文字情報の表示とするように構成した例である。
【００４１】
本実施例２の構成は図５に示す実施例と同様であるが、画像処理部１０ｂの非視聴チャンネルの表示画面データとして、当該非視聴チャンネルから抽出した画像の画像分析を行い、画像の情報を取得するための画像認識部１０ｊを備える。
【００４２】
画像処理部１０ｂは、実施例１の機能に加えチャンネル別処理切換部１０ｈの制御信号により、表示フレームのフレーム（５）等において画像認識部１０ｊに映像信号から抽出、生成したフレーム５等の表示画面データを出力し、画像認識部１０ｊで変換された数字、文字データ等の表示データを入力する機能を有し、当該非視聴チャネルの表示データとする機能を有する。
【００４３】
小さいＬＣＤのサブ映像表示部の設定においても、非視聴チャンネルから得られるデータ量の少ない情報を表示することが可能であり、モニター用等に使用する等、ＬＣＤ等の小さい表示部１２の有効利用が可能となる。
【実施例３】
【００４４】
図７は、本発明のＴＶチューナー内蔵移動携帯端末の他の実施例３を示す図である。受信切り換え、表示画像処理等を制御プログラムにより行うように構成したものである。  
音声処理部１０ｐ、映像処理部１０ｑ、中央処理装置（ＣＰＵ）１０ｒ及び中央処理装置１０ｒの制御の内容を設定する設定部１０ｓから構成される。ここで、設定部１０ｓは操作部９からの表示部１２におけるＬＣＤの表示形態の設定入力により中央制御装置１０ｒの制御を設定し、中央処理装置１０ｒは制御プログラムにより動作し音声処理部１０ｐ、映像処理部１０ｑを制御し、実施例１、２と同様の受信信号の映像信号に基づくフィールド及び表示フレームの計数機能、画面表示データの生成機能、音声信号のオン／オフ動作の制御機能を有する。本実施例３の動作を以下説明する。
【００４５】
図８は本実施例３の処理フローチャートを示す図である。図２、３をも参照して説明する。ＴＶ表示の選択設定において、ユーザが操作部９を操作してメイン映像表示部に視聴チャンネルを表示するとともにサブ映像表示部に非視聴チャンネルを表示するように設定部１０ｓに入力すると、設定部１０ｓは中央処置装置１０ｒの制御が視聴チャンネルの映像信号をメイン映像表示部に表示するとともに非視聴チャンネルの映像信号をサブ映像表示部に表示するように音声処理部１０ｐ、映像処理部１０ｑを制御する。
【００４６】
中央処置装置１０ｒはＴＶチューナー３の受信周波数を視聴チャンネルとしての特定の受信周波数１とし、映像デコーダ部７から入力する映像信号に基づき、１秒間に表示される画像（フィールド）を最初から順番にカウントし、更に４フィールド毎に先頭の画像を表示フレームの数（表示フレーム数）としてカウントする（１０１）。本実施例の場合、１秒間の表示フレーム数のカウント値は１５フレームであり、以下のようにカウント値の内、第５フレーム（５）で受信周波数１から他の非視聴チャンネルの受信周波数２に変更するようにＴＶチューナー３を制御するとともに受信、表示の制御を行う。つまり、
表示フレーム数のカウント値が第５フレーム（５）以外を示している時（１０２  ＹＥＳ）、ＴＶチューナー３で受信周波数１の視聴チャンネルを受信し、音声検波部４、音声デコーダ６により復調した音声をスピーカー１１から出力する（１０３）とともに、映像検波部５、映像デコーダ７（１０３）で復調した映像信号をＬＣＤ１２のメイン映像表示部に表示する（１０４）。
【００４７】
また、カウント値が第５フレーム（５）を示している時（１０２  ＮＯ）、ＴＶチューナー３の受信周波数を非視聴チャンネルの受信周波数２へ変更して受信し（１０５）、音声の出力を遮断し（１０６）、メイン映像表示部には一つ前の映像信号、つまり第４フレームの映像を表示し（１０７）、映像データ検波器５、映像デコーダ７で復調した映像信号、つまり第５フレーム（５）の映像をサブ映像表示部に表示し（１０８）、ＴＶチューナーを受信周波数１に戻す（１０９）。
【００４８】
なお、視聴チャンネルでは音声データも出力するため、第５フレーム（５）の受信時に非視聴チャンネルで音声を出力すると、あたかも瞬間的なノイズ音として聞こえることから、非視聴チャンネルの音声は遮断する。この動作で音声が途切れるものの、１５分の１秒＝６７ｍｓｅｃ間であるため問題とならない。
【００４９】
以上に動作の繰り返しにより視聴チャンネルの通常の受信表示と、非視聴チャンネルの受信表示と並列に行うことが可能である。
【実施例４】
【００５０】
図９は本発明の他の実施例４のフローチャートを示す図である。本実施例４は図７に示す構成により制御部１０として非視聴チャンネルの映像信号から画像認識処理によりテキストデータ等を抽出してサブ映像表示部に表示する処理機能を持たせたものである。
【００５１】
中央処理装置１０ｒにおける表示フレーム数の計数機能は図７、８に示す実施例３と同様である。実施例３のメイン映像表示部の表示とサブ映像表示部への文字情報の表示形態の設定の例を以下説明する。
【００５２】
本実施例では、表示フレーム数のカウント値が第５フレーム（５）以外を示している時（２０２  ＹＥＳ）、ＴＶチューナー３で受信周波数１の視聴チャンネルを受信し、音声検波部４、音声デコーダ６により復調した音声をスピーカー１１から出力する（２０３）とともに、映像検波部５、映像デコーダ７（２０３）で復調した映像信号をＬＣＤ１２のメイン映像表示部に表示する（２０４）。
【００５３】
また、カウント値が第５フレーム（５）を示している時（２０２  ＮＯ）、ＴＶチューナー３の受信周波数を非視聴チャンネルの受信周波数２へ変更して受信し（２０５）、音声の出力を遮断し（２０６）、メイン映像表示部には一つ前の映像信号、つまり第４フレーム先頭フレームの映像を表示し（２０７）、映像データ検波器５、映像デコーダ７で復調した映像信号、つまり第５フレームの先頭フレームの映像の取得後、記憶部８に記録し、ＯＣＲ処理等の文字認識又は画像認識を行い（２０８）、画像内の数字や文字データを取得し所定の数字、文字等のコードデータ等を取得し（２０９）、サブ映像表示部に表示し（２１０）、その後ＴＶチューナー３の受信周波数を受信周波数１に戻す（２１１）。
【００５４】
なお、第５フレーム（５）の受信時の非視聴チャンネルの音声の遮断は瞬間的なノイズ音として聞こえることがないようにするもので、音声の途切れも１５分の１秒＝６７ｍｓｅｃ間であり問題とならないことは実施例３と同様である。
【００５５】
以上に動作の繰り返しにより視聴チャンネルの通常の受信表示と、非視聴チャンネルの文字データ等と並列に行うことが可能である。
【実施例５】
【００５６】
図１０は本発明の他の実施例５の動作を示す図である。本実施例５は図７に示す構成において、ユーザの操作部９からの選択により設定部１０ｓから中央処理装置１０ｒの機能設定を変え、中央処理装置１０ｒは複数の非視聴チャンネルの映像信号のみを表示部を複数のサブ映像表示部に分割して表示する処理機能に切り換えることを可能としたものである。
【００５７】
本実施例５では、各フレームごとに高速にＴＶチューナー３の受信周波数１〜６を順次変更し、異なるチャンネルのデータを受信する。例えば、第１フレーム（１）〜第６フレーム（６）のすべてのフレーム期間で異なる非視聴チャンネルのデータを受信し、最大６局分の画像データを取得し、ＬＣＤ画面内に表示する。各局の画像データは１秒ごとに更新される。このモードでは音声は出力しない。
【００５８】
図１１は、実施例５の表示への切り換え可能とした表示モードの例を示す図である。他のＬＣＤ表示画面例１、２に加えて、複数のサブ映像表示部のみの表示への切り換え可能である。例えば、ＬＣＤ表示画面例３に示すように、受信した非視聴チャンネル６局分の画像データを、ＬＣＤ表示画面を６分割して表示する。表示局数の増減に伴い、ＬＣＤの表示画面の分割数を任意に増減させる。複数の非視聴チャンネルの分割画面への表示は１５局分を表示することも可能である。
【００５９】
以上の実施例では、受信信号から受信フィールド単位で画像データを取得して表示フレームを生成する例を示したが、受信フレーム単位で取得しった画像データを表示フレームとするように構成することが可能である。また、メインチャンネルの受信時にサブチャンネルの受信に切り換える期間は４フィールド（フレーム）期間に限られるものではなく、間引きの有無、間引きの比率に応じて適宜可能であることは明らかである。
【図面の簡単な説明】
【００６０】
【図１】本発明のＴＶチューナー内蔵移動携帯端末の実施の形態の構成例を示す図である。
【図２】ＴＶ受信、表示動作の例を示す図である。
【図３】本発明のＴＶ受信時の切り換え動作例を示す図である。
【図４】本発明のＬＣＤ表示の画面例を示す図である。
【図５】本発明のＴＶチューナー内蔵移動携帯端末の実施例１を示す図である。
【図６】本発明のＴＶチューナー内蔵移動携帯端末の他の実施例２を示す図である。
【図７】本発明のＴＶチューナー内蔵移動携帯端末の他の実施例３を示す図である。
【図８】実施例３の処理フローチャートを示す図である。
【図９】本発明の他の実施例４の処理フローチャートを示す図である。
【図１０】本発明の他の実施例５の動作を示す図である。
【図１１】複数の非視聴チャンネルの表示切換を可能とした表示例を示す図である。
【符号の説明】
【００６１】
３  ＴＶチューナー
４  音声検波器
５  音声デコーダ
６  映像検波器
７  映像デコーダ
８  記憶部
９  操作部
１０  制御部
１０ａ  音声切換部
１０ｂ  画像処理部
１０ｃ  階調データ出力部
１０ｄ  同期検出部
１０ｅ  パルス発生部
１０ｆ  カウンタ部
１０ｇ  特定フレーム検出部
１０ｈ  チャンネル別処理切換部
１０ｉ  受信周波数切換部
１０ｊ  画像認識部
１１  スピーカー
１２  表示部（ＬＣＤ）
【図１】
2006094235.tif 000003
【図２】
2006094235.tif 000004
【図３】
2006094235.tif 000005
【図４】
2006094235.tif 000006
【図５】
2006094235.tif 000007
【図６】
2006094235.tif 000008
【図７】
2006094235.tif 000009
【図８】
2006094235.tif 000010
【図９】
2006094235.tif 000011
【図１０】
2006094235.tif 000012
【図１１】
2006094235.tif 000013